(57)【特許請求の範囲】
【請求項１】
オーバーロードインジケーター報告のトリガ方法であって、
第1の端末は予め設置されたエリア区分閾値によって自身のカバーエリアに対してエリア区分を行って、第1の端末カバーエリアの各階層を得るステップと、
前記第1の端末は第2の端末が現在受けられたセル間最大干渉強度によって、前記第2の端末が所在する第1の端末カバーエリアの階層を確認するステップと、及び
前記第1の端末は前記第2の端末が占用した物理リソースブロックの受ける干渉状態情報によって統計が必要の物理リソースブロックを統計し、且つ前記第2の端末が所在階層において使用するオーバーロードインジケーター報告のトリガ閾値を設置し、前記第1の端末は、統計結果が前記オーバーロードインジケーター報告のトリガ閾値より大きいことを確定した時に、前記第2の端末の使用するオーバーロードインジケーター報告をトリガするステップとを含むオーバーロードインジケーター報告のトリガ方法。
【請求項２】
前記第1の端末が基地局であると、前記第2の端末が中継局或いはユーザー端末であり、前記第1の端末が中継局であると、第2の端末がユーザー端末である請求項１に記載の方法。
【請求項３】
前記エリア区分閾値は、
前記第1の端末のカバーエリアに対して最強のセル間の干渉を発生する隣接エリアを確認し、且つ前記第1の端末のカバーエリア内各箇所における前記隣接エリアの干渉信号の干渉強度を確認し、前記干渉強度によって第1エリア区分閾値と第2エリア区分閾値を設置する、
方式により設置される請求項１又は２に記載の方法。
【請求項４】
第1の端末が予め設置されたエリア区分閾値によって自身のカバーエリアに対してエリア区分を行う前記ステップは、
前記第1の端末のカバーエリアにおいて受けられる干渉強度が前記第1エリア区分閾値より大きいエリアを第1層に区分するステップと、
前記第1の端末のカバーエリアにおいて受けられる干渉強度が前記第1エリア区分閾値と前記第2エリア区分閾値の間に介するエリアを第2層に区分するステップと、
前記第1の端末のカバーエリアにおいて受けられる干渉強度が前記第2エリア区分閾値より小さいエリアを第3層に区分するステップとを含む請求項３に記載の方法。
【請求項５】
前記第2の端末が所在する第1の端末カバーエリアの階層を確認する前記ステップは、
前記第2の端末が現在受けられたセル間最大干渉強度が前記第1エリア区分閾値より大きい時、前記第2の端末が第1層に所在することを確認するステップと、
前記第2の端末が現在受けられたセル間最大干渉強度が前記第1エリア区分閾値と前記第2エリア区分閾値の間に介する時、前記第2の端末が第2層に所在することを確認するステップと、
前記第2の端末が現在受けられたセル間最大干渉強度が前記第2エリア区分閾値より小さい時、前記第2の端末が第3層に所在することを確認するステップとを含む請求項４に記載の方法。
【請求項６】
前記第1の端末が、前記第2の端末の占用した物理リソースブロックの受ける干渉状態情報によって統計が必要の物理リソースブロックを統計する前記ステップは、
前記第1の端末が、前記第2の端末の占用した物理リソースブロックの受ける干渉状態情報によって統計が必要の物理リソースブロックの受ける干渉状態レベルを確定し、且つ前記統計が必要の物理リソースブロックの受ける干渉状態レベルによって統計が必要の物理リソースブロックを統計するステップを含む請求項１に記載の方法。
【請求項７】
統計が必要の物理リソースブロックを統計するステップは、
前記第1の端末は、前記統計が必要の物理リソースブロックの受ける干渉状態レベルによって、統計が必要の物理リソースブロックの数量が第2の端末の占用した全部物理リソースブロックの数量において占める百分比を計算するステップを含む請求項６に記載の方法。
【請求項８】
第2の端末が所在階層において使用するオーバーロードインジケーター報告のトリガ閾値を設置する前記ステップは、
前記第1の端末が、前記統計が必要の物理リソースブロックの受ける干渉状態レベル及び前記第2の端末が所在する階層により、必要によって前記第2の端末が所在階層において使用するオーバーロードインジケーター報告のトリガ閾値を設置することを含む請求項６に記載の方法。
【請求項９】
オーバーロードインジケーター報告のトリガをサポートする端末であって、
自身のカバーエリアに対してエリア区分を行って、自身カバーエリアの各階層を得て、且つもう一つの端末が所在する自身カバーエリアの階層を確認し、
前記もう一つの端末が占用した物理リソースブロックを統計し、且つ前記もう一つの端末が所在階層において使用するオーバーロードインジケーター報告のトリガ閾値を設置し、統計結果と前記オーバーロードインジケーター報告のトリガ閾値とを比較し、前記統計結果が前記オーバーロードインジケーター報告のトリガ閾値より大きい時、前記もう一つの端末が使用するオーバーロードインジケーター報告をトリガするように設置されるオーバーロードインジケーター報告のトリガをサポートする端末。
【請求項１０】
オーバーロードインジケーター報告のトリガをサポートする端末であって、
請求項９に記載のオーバーロードインジケーター報告のトリガをサポートする端末に、自身が現在受けられたセル間の最大干渉強度及び自身が占用した物理リソースブロックの受ける干渉状態情報を報告するように設置されるオーバーロードインジケーター報告のトリガをサポートする端末。
【請求項１１】
第1の端末と第2の端末を含むオーバーロードインジケーター報告のトリガシステムであって、
前記第1の端末は、自身のカバーエリアに対してエリア区分を行って、自身カバーエリアの各階層を得て、且つ前記第2の端末が所在する第1の端末カバーエリアの階層を確認し、前記第2の端末が占用した物理リソースブロックを統計し、且つ前記第2の端末が所在階層において使用するオーバーロードインジケーター報告のトリガ閾値を設置し、統計結果と前記オーバーロードインジケーター報告のトリガ閾値とを比較し、前記統計結果が前記オーバーロードインジケーター報告のトリガ閾値より大きい時、前記第2の端末が使用するオーバーロードインジケーター報告をトリガするように設置され、及び、
前記第2の端末は、前記第1の端末に第2の端末が現在受けられたセル間の最大干渉強度及び第2の端末が占用した物理リソースブロックの受ける干渉状態情報を報告するように
設置されるオーバーロードインジケーター報告のトリガシステム。
【発明の詳細な説明】
【技術分野】
【０００１】
本発明は無線通信分野のセル間の干渉技術に関し、特にセル間の干渉を解決する時のオーバーロードインジケーター(OI、Overload Indicator)報告のトリガ方法及びシステムを指すものである。
【背景技術】
【０００２】
次世代広帯域無線通信ネットワークにおいて、セル間の干渉を解决することがユーザー端末(UT、User Terminal)スループット及び平均UTスループットを向上させる１つの重要要素になり、どのようにセル間の干渉を有效的に解决することが厳しい挑戦に直面している。
【０００３】
現在、電気電子技術者協会(  IEEE、Institute of Electrical and  Electronics Engineers)802.16j、高級国際移動通信(IMT-Advanced)システム、WINNERにおいていずれも干渉ランダム化、干渉協調、干渉除去などの方法を提出してセル間の干渉の問題を解决する。ロング・ターム・エボリューション( LTE、Long Term Evolution)システムは、前記方法により、UTから全部隣接セルまでの最強干渉レベルに基づいて現在のセルのカバーエリアを内層と外層に分け、且つ部分パワー制御及びパス損失補償の方法によってセル間の干渉を解決することを提案する。その中、内層はセル間の干渉強度が弱いエリアであり、全パワー補償によってセル間の干渉問題を解决し、外層はセル間の干渉が強いエリアであり、部分パワー制御及びパス損失補償の方法によってセル間の干渉問題を解决する。
【０００４】
LTEシステムにおいて、OI報告によって、受けられたセル間の干渉レベルが高いUTの占用した物理リソースブロック(PRB、Physical Resource Block)の受ける干渉状態を指摘し、且つ該OI報告によって異なる基地局(BS、Base Station)の間にロード協議を行い、UTが該PRBにおいて受けられたセル間の干渉を有效的に低下させ、それによってセル間の干渉を協調する目的に達する。
【０００５】
その中、LTEシステムはOI報告に対しての関連規定が以下のとおりである。
【０００６】
各PRBに１つのOI値を設置し、且つ該OI値が2bitで表し、高(OO)、中(Ol)、低(10)3つの状態に分け、この3つの状態はそれぞれ該PRBが受けられたセル間の干渉の状態が高干渉、中干渉、低干渉であることを表する。その中、OI報告のトリガ事件は、過高或いは受けることができない熱干渉( IoT、Interference over Thermal)と、満足の行かないアップリンク性能と、セル内のロードの変更とを含む。
【０００７】
前記トリガ事件によってOI報告のトリガを行う時、OI報告を頻繁にトリガさせ、したがって、OIのロードを増加させ、大きなシステムオーバヘッドになり、システムの稼動效率を低下させる。
【発明の概要】
【発明が解決しようとする課題】
【０００８】
これに鑑み、本発明は、従来の技術におけるOI報告が頻繁にトリガされた問題を解决するようにOI報告のトリガ方法と、端末と、システムとを提供することを主な目的とする。
【課題を解決するための手段】
【０００９】
前記目的を達するため、本発明にかかる技術方案は以下のように達成し、
本発明はオーバーロードインジケーター報告のトリガ方法を提供し、該方法には、
第1の端末は予め設置されたエリア区分閾値によって自身のカバーエリアに対してエリア区分を行って、第1の端末カバーエリアの各階層を得るステップと、
前記第1の端末は第2の端末が現在受けられたセル間最大干渉強度によって、前記第2の端末が所在する第1の端末カバーエリアの階層を確認するステップと、及び
前記第1の端末は前記第2の端末が占用した物理リソースブロックの受ける干渉状態情報によって統計が必要の物理リソースブロックを統計し、且つ前記第2の端末が所在階層において使用するオーバーロードインジケーター報告のトリガ閾値を設置し、前記第1の端末は、統計結果が前記オーバーロードインジケーター報告のトリガ閾値より大きいことを確定した時に、前記第2の端末の使用するオーバーロードインジケーター報告をトリガするステップとを含む。
【００１０】
その中、前記第1の端末が基地局であると、前記第2の端末が中継局或いはユーザー端末であり、前記第1の端末が中継局であると、第2の端末がユーザー端末である。
【００１１】
前記エリア区分閾値は、
前記第1の端末のカバーエリアに対して最強のセル間の干渉を発生する隣接エリアを確認し、且つ前記第1の端末のカバーエリア内各箇所における前記隣接エリアの干渉信号の干渉強度を確認し、前記干渉強度によって第1エリア区分閾値と第2エリア区分閾値を設置する、
方式により設置される。
【００１２】
第1の端末が予め設置されたエリア区分閾値によって自身のカバーエリアに対してエリア区分を行う前記ステップは、
前記第1の端末のカバーエリアにおいて受けられる干渉強度が前記第1エリア区分閾値より大きいエリアを第1層に区分するステップと、
前記第1の端末のカバーエリアにおいて受けられる干渉強度が前記第1エリア区分閾値と前記第2エリア区分閾値の間に介するエリアを第2層に区分するステップと、
前記第1の端末のカバーエリアにおいて受けられる干渉強度が前記第2エリア区分閾値より小さいエリアを第3層に区分するステップとを含む。
【００１３】
前記第2の端末が所在する第1の端末カバーエリアの階層を確認する前記ステップは、
前記第2の端末が現在受けられたセル間最大干渉強度が前記第1エリア区分閾値より大きい時、前記第2の端末が第1層に所在することを確認するステップと、
前記第2の端末が現在受けられたセル間最大干渉強度が前記第1エリア区分閾値と前記第2エリア区分閾値の間に介する時、前記第2の端末が第2層に所在することを確認するステップと、
前記第2の端末が現在受けられたセル間最大干渉強度が前記第2エリア区分閾値より小さい時、前記第2の端末が第3層に所在することを確認するステップとを含む。
【００１４】
前記第1の端末が、前記第2の端末の占用した物理リソースブロックの受ける干渉状態情報によって統計が必要の物理リソースブロックを統計する前記ステップは、
前記第1の端末が、前記第2の端末の占用した物理リソースブロックの受ける干渉状態情報によって統計が必要の物理リソースブロックの受ける干渉状態レベルを確定し、且つ前記統計が必要の物理リソースブロックの受ける干渉状態レベルによって統計が必要の物理リソースブロックを統計するステップを含む。
【００１５】
統計が必要の物理リソースブロックを統計するステップは、
前記第1の端末は、前記統計が必要の物理リソースブロックの受ける干渉状態レベルによって、統計が必要の物理リソースブロックの数量が第2の端末の占用した全部物理リソースブロックの数量において占める百分比を計算するステップを含む。
【００１６】
第2の端末が所在階層において使用するオーバーロードインジケーター報告のトリガ閾値を設置する前記ステップは、
前記第1の端末が、前記統計が必要の物理リソースブロックの受ける干渉状態レベル及び前記第2の端末が所在する階層により、必要によって前記第2の端末が所在階層において使用するオーバーロードインジケーター報告のトリガ閾値を設置することを含む。
【００１７】
本発明はまた、オーバーロードインジケーター報告のトリガをサポートする端末を提供し、該端末は、
自身のカバーエリアに対してエリア区分を行って、自身カバーエリアの各階層を得て、且つもう一つの端末が所在する自身カバーエリアの階層を確認し、
前記もう一つの端末が占用した物理リソースブロックを統計し、且つ前記もう一つの端末が所在階層において使用するオーバーロードインジケーター報告のトリガ閾値を設置し、統計結果と前記オーバーロードインジケーター報告のトリガ閾値とを比較し、前記統計結果が前記オーバーロードインジケーター報告のトリガ閾値より大きい時、前記もう一つの端末が使用するオーバーロードインジケーター報告をトリガするように設置される。
【００１８】
本発明はまた、オーバーロードインジケーター報告のトリガをサポートする端末を提供し、該端末は、
上記オーバーロードインジケーター報告のトリガをサポートする端末に、自身が現在受けられたセル間の最大干渉強度及び自身が占用した物理リソースブロックの受ける干渉状態情報を報告するように設置される。
【００１９】
本発明はまた、第1の端末と第2の端末を含むオーバーロードインジケーター報告のトリガシステムを提供し、その中、
前記第1の端末は、自身のカバーエリアに対してエリア区分を行って、自身カバーエリアの各階層を得て、且つ前記第2の端末が所在する第1の端末カバーエリアの階層を確認し、前記第2の端末が占用した物理リソースブロックを統計し、且つ前記第2の端末が所在階層において使用するオーバーロードインジケーター報告のトリガ閾値を設置し、統計結果と前記オーバーロードインジケーター報告のトリガ閾値とを比較し、前記統計結果が前記オーバーロードインジケーター報告のトリガ閾値より大きい時、前記第2の端末が使用するオーバーロードインジケーター報告をトリガするように設置され、及び、
前記第2の端末は、前記第1の端末に第2の端末が現在受けられたセル間の最大干渉強度及び第2の端末が占用した物理リソースブロックの受ける干渉状態情報を報告するように設置される。
【００２０】
本発明にかかわるOI報告トリガ方法は、無線通信ネットワークにおけるBS或いはRSカバーエリアを区分することによって、且つこの新しいネットワーク構成に基づいてOI報告のトリガに制限条件を増加し、例えば、RS或いはUTの位置している階層を確定すること、RS或いはUTが現在階層におけるOI報告のトリガ閾値を確定すること、統計が必要なPRBの受ける干渉状態レベルを確定すること、及び現在階層におけるOI報告のトリガ閾値とPRBの統計結果との大きさを比較することなどであり、有效的にOI報告のトリガ送信回数を低下させ、OIのロードを減少させ、さらにシステムオーバヘッドを低下させる。
【図面の簡単な説明】
【００２１】
【図１】本発明OI報告トリガ方法の実施例1のフロー模式図。
【図２】本発明の実施例1の無線通信ネットワーク階層構成模式図。
【図３】本発明のOI報告トリガ方法の実施例2のステップフロー模式図。
【図４】本発明OI報告トリガシステムの構成関係模式図。
【発明を実施するための形態】
【００２２】
以下は図面と具体的な実施例を結合して、本発明の技術考案をさらに詳しく説明する。
【００２３】
本発明のOI報告トリガ方法は一般的な無線通信ネットワークに適用でき、且つ中継局( RS、Relay Station)付き無線通信ネットワークにも適用でき、本発明のOI報告のトリガ方法は2つの部分に分けられ、1方はBSを第1の端末とすることによって第2の端末の使用するOI報告のトリガを確定し、その中、第2の端末がRS或いはUTであってもよく、他方は第1の端末によって第2の端末UTの使用するOI報告のトリガを確定し、その中、第1の端末がBS或いはRSであってもよい。
【００２４】
以下は具体的な実施例によって、第1の端末がBS、第2の端末がRSである時、本発明のOI報告トリガ方法を説明し、図1のように、該プロセスは以下のステップを含む。
【００２５】
ステップ101：BSは現在のセルに対してエリア区分を行う。
【００２６】
本発明はBSに予め設置されたエリア区分閾値によってセルに対してエリア区分を行う。好ましくは、エリア区分閾値の設置が以下の方法を利用することができ、BSが、各隣接セルが現在のセルに対しての干渉強度を確定し、最強干渉の隣接セルを探し、且つ該隣接セルの干渉信号が現在のセル内の各箇所の干渉強度を確認し、該干渉強度によってエリア区分閾値を確定する。また、エリア区分閾値の設置が他の方法も利用でき、例えばパス損失測量結果によって確定する。
【００２７】
好ましくは、2つのエリア区分閾値を設置することができ、つまり、第1エリア区分閾値と第2エリア区分閾値であり、予め設置された2つのエリア区分閾値によって、現在のセルを第1層、第2層、第3層の3つの層に区分し、その中、第1層が外層であってもよく、第2層が過渡層であってもよく、第3層が内層であってもよく、図2に示すように、第1エリア区分閾値が過渡層から外層までの閾値であり、第2エリア区分閾値が内層から過渡層までの閾値である。
【００２８】
例えば、必要によって、現在のセルにおいて受けた最強干渉の隣接セルの干渉強度が25%より大きなエリアを外層に設置し、受けられた干渉強度が10%〜25%であるエリアを過渡層に設置し、受けられた干渉強度が10%以下のエリアを内層に設置し、エリア区分閾値は、内層から過渡層までの閾値10%、過渡層から外層までの閾値25%を含む。
【００２９】
前記エリアのエリア区分によって、以下のことが分かる。
【００３０】
内層が受けられた干渉強度が最小であり、実際の応用において、該エリアが受けられたセル間の干渉強度が低く、ひいてはないと考えてもよく、したがって、該エリアに対するセル間の干渉の影響を無視でき、
外層が受けられた干渉強度が最大であり、実際の応用において、該エリアがセル間の干渉を受けられる確率が高く、且つ強度が大きく、したがって、該エリアが受けられたセル間の干渉を処理する必要があり、
過渡層が受けられた干渉強度が内層と外層の間に介し、実際の応用において、該エリアが受けられたセル間の干渉強度が受け入れると考えてもよい。
【００３１】
ステップ102〜103：BSは、RS現在受けられたセル間の最大干渉強度が干渉強度対比閾値より大きいまたは等しいであるかどうかを判断し、大きいまたは等しいであると、RSに通知して接続を切り、再びランダムアクセスプロセスを起動し、さもないと、ステップ104を実行する。
【００３２】
RSは自身現在受けられたセル間の干渉強度を測量し、且つ受けられたセル間の最大干渉強度をBSに報告し、その中、RSが自身現在受けられたセル間の干渉強度を測量することは従来の技術であるために、ここでは贅言しない。
【００３３】
BSはRSが現在受けられたセル間の最大干渉強度と干渉強度対比閾値とを比較し、RSが現在受けられたセル間の最大干渉強度が干渉強度対比閾値の以上であると、RSが現在受けられたセル間の干渉強度が非常に大きいことを証明し、既にRSとBSとの間の通信を深刻に影響し、もし現在のBSを該RSのサービスBSとして使用し続けると、せる間の干渉協調によって処理しても理想的な效果に達することがなく、この時、現在のBSがRSに通知して接続を切り、RSが再びランダムアクセスプロセスを起動することになり、即ちRSが再び適当なサービスBSを選ぶことになり、もしRSが現在受けられたセル間の最大干渉強度が干渉強度対比閾値より小さい時、ステップ104を実行する。
【００３４】
その中、干渉強度対比閾値はオペレータ或いは設備メーカがネットワーク企画、セールカバーエリアの大きさ、BS発射パワーなどの要素によって確定した経験値である。
【００３５】
ステップ104：BSはRSが所在する現在のセルの階層を確定する。BSはRSが現在受けられたセル間の最大干渉強度とエリア区分閾値とを比較し、もしRSが現在受けられたセル間の最大干渉強度が過渡層から外層までの閾値より大きいと、RSが外層に位置し、RSが現在受けられたセル間の最大干渉強度が内層から過渡層までの閾値と過渡層から外層までの閾値との間に介すると、RSが過渡層に位置し、RSが現在受けられたセル間の最大干渉強度が内層から過渡層までの閾値より小さいと、RSが内層に所在する。
【００３６】
ステップ105：RSは占用したPRBの受ける干渉状態情報をBSに報告し、BSはPRBを統計し、且つRSが所在階層において使用するOI報告のトリガ閾値を設置する。
【００３７】
PRBは時間周波数資源であり、各PRBに1つのOI値を有し、該OI値は該PRBがセル間の干渉を受けられた状態を表し、PRBがセル間の干渉を受けられた状態はそれが受けられたセル間の干渉強度によって决定され、RSが占用したPRBの数量はシステムがRS現在の通信量によって决定されたものである。
【００３８】
RSの占用したPRBにおけるOI値及びOI値で表するPRBが受けられたセル間の干渉の状態は、BSが必要によって予め設置する。
【００３９】
好ましくは、OI値を3つのレベルに分けられ、2つのbitで表し、OI値の3つのレベルがそれぞれOO、01、10に表することができる。
【００４０】
OI値の階層に対応して、PRBが受けられたセル間の干渉の状態を高干渉、中干渉、低干渉3つのレベルに分けられ、好ましくは、1つのPRBの受けられた干渉強度が過渡層から外層までの閾値より大きい時、該PRBの受けられた干渉状態レベルを高干渉に設定し、1つのPRBの受けられた干渉強度が内層から過渡層までの閾値と過渡層から外層までの閾値との間に介する時、該PRBの受けられた干渉状態レベルを中干渉に設定し、1つのPRBの受けられた干渉強度が内層から過渡層までの閾値より小さい時、該PRBの受けられた干渉状態レベルを低干渉に設定する。OI値とPRBの受けられた干渉状態の対応関係は、OOが高干渉(H)に対応し、01が中干渉 (M) に対応し、10が低干渉(L)に対応することであってもよい。
【００４１】
RSが占用したPRBの受ける干渉状態を表1のように示す。
【００４２】
【表１】
0005209803.tif 000002
【００４３】
BSはRS現在占用したPRBの受ける干渉状態によって、RSが所在階層において使用するOI報告のトリガ閾値を設置する。異なる階層の異なるRSに対して、実際応用に、BSが必要によってOI報告のトリガ閾値の配置を行うことができる。
【００４４】
好ましくは、現在のRSに対して、BSはまず統計が必要なPRBの受ける干渉状態レベルを確定し、即ち受ける干渉状態レベルの統計方式を選び、次にBSは受ける干渉状態レベルの統計方式と現在RSが所在する階層によって該RSが現在の階層において使用するOI報告のトリガ閾値を設置する。
【００４５】
その中、受ける干渉状態レベルの統計方式を選ぶ時、単一の受ける干渉状態レベルのPRBを統計することを選択してもよく、複数の干渉うけた状態レベルのPRBを統計することを選択してもよい。例えば、受ける干渉状態レベルが「H」であるPRBの数量が多い時、好ましくは、受ける干渉状態レベルが「H」であるPRBに対し統計を行うことのみを選択すことができ、それがRS現在受ける干渉情況を反映することに有利で、受ける干渉状態レベルが「H」であるPRBの数量が少ない、しかし受ける干渉状態レベルが「M」であるPRBの数量が多い時、同時に「H」と「M」2つの受ける干渉状態レベルのPRBを統計することを選択することができ、それがRSの受けられた潜在の干渉情況を発見することに有利である。
【００４６】
BSは受ける干渉状態レベルの統計方式によって、PRBを統計して、統計が必要なPRB数量がPRB総数量を占める百分比を計算することができる。表1に示すPRBの受ける干渉状態を例として、その中受ける干渉状態レベルが「H」であるPRB数量が多く、好ましくは、受ける干渉状態レベルが「H」であるPRBに対し統計を行うことのみを選択してもよく、この場合、統計されたPRB数量が全部PRB総数を占める百分比が(5/12)×100%=42%であり、該RSが占用した全部PRBにおいて42%の時間周波数資源が高強度のセル間の干渉を受けることを表する。
【００４７】
前記のPRBに対する受ける干渉状態レベルの統計方式によって、選択された、受ける干渉状態レベルの統計方式が異なる時、設置した具体的なOI報告のトリガ閾値が異なってもよい。
【００４８】
また、RSが内層に位置すると仮定し、内層のOI報告が頻繁にトリガされることを希望しない場合、OI報告のトリガ閾値を内層から過渡層までの閾値に接近するように、或は内層から過渡層までの閾値と等しいまたは以上に配置し、もしRSが外層に位置され、且つ外層のOI報告が頻繁にトリガされることを希望しない場合、OI報告のトリガ閾値をRSの受けられたセル間の最大干渉強度に接近するように、或はセル間の最大干渉強度と等しいまたは以上に配置する。
【００４９】
ステップ106〜107：BSはPRBの統計結果が、RSが所在階層において使用するOI報告のトリガ閾値より大きいかどうかを判断し、大きいであると、ステップ107を実行し、OI報告をトリガし、さもないと、該プロセスが終わる。
【００５０】
PRBの統計結果が、RSが所在階層において使用するOI報告のトリガ閾値より大きい時、BSはRSが所在階層において使用するOI報告をトリガする。PRBに対しての統計結果は、統計されたPRB数量が全部PRB総数を占める百分比が(5/12)×100%=42%で、現在のRSの所在する階層が外層で、且つRSが外層において使用するOI報告のトリガ閾値が30%であると、RSが外層において使用するOI報告をトリガすることができ、さもないと、該プロセスが終わる。
【００５１】
ただし、該プロセスにおいて第2の端末がUTであってもよく、したがって、RSが該プロセスにおいてUTの特徴を有する。
【００５２】
第1の端末がRSで、第2の端末がUTであると、本発明のOI報告トリガ方法は図3に示すように、該プロセスは以下のステップを含む。
【００５３】
ステップ301：RSは、そのカバーエリアに対してエリア区分を行う。
【００５４】
RSのカバーエリアに対してエリア区分を行う時、BSでRSのエリア区分閾値を予め設置し、且つRSに送信し、次にRSがエリア区分閾値によってそれのカバーエリアに対してエリア区分を行う。好ましくは、RSエリア区分閾値の設置方法がステップ101と同じ方法を利用してもよい。ただし、RSのカバーエリアが1つのセル範囲に位置する可能性があり、複数のセルを跨ぐ可能性もあり、且つ1つのセルに複数のRSを有する可能性があるため、したがって現在RSカバーエリアと隣接するエリアにセルが存在する可能性があり、他のRSカバーエリアがある可能性もある。現在RSは、それと隣接するエリアにいて干渉強度が最強のエリアを確認する必要があり、且つ該干渉強度が最強のエリアの干渉信号がそれに対して発生した最大干渉を確認し、且つBSに報告し、BSで該最大干渉強度によってRSのエリア区分閾値を設置する。
【００５５】
好ましくは、RSのカバーエリアを内層、過渡層、外層に区分してもよい。
【００５６】
ステップ302〜303：RSは、UTが現在受けられたセル間の最大干渉強度が干渉強度対比閾値と等しいまたは以上であるかどうかを判断し、等しいまたは以上であると、RSがUTに通知して接続を切り、再びランダムアクセスプロセスを起動し、さもないと、ステップ304を実行する。
【００５７】
UTが自身現在受けられたセル間の干渉強度を測量し、且つ受けられたセル間の最大干渉強度をRSに報告し、その中、UTが自身現在受けられたセル間の干渉強度を測量することは従来の技術であるため、ここでは贅言しない。
【００５８】
RSはUT現在受けられたセル間の最大干渉強度と干渉強度対比閾値とを比較し、該ステップの判断方法がステップ102と同じ、ここでは贅言しない。その中、干渉強度対比閾値はオペレーター或いは設備メーカがネットワーク企画、RSカバーエリアの大小、RS発信パワーなどの要素によって確定される経験値である。
【００５９】
ステップ304：RSはUTが所在するRSカバーエリアの階層を確定する。
【００６０】
RSはUTが現在受けられたセル間の最大干渉強度とRSのエリア区分閾値とを比較し、具体的な判断方法はステップ104と同じ、ここでは贅言しない。
【００６１】
ステップ305：UTは占用されたPRBの受ける干渉状態情報をRSに報告し、RSはPRBに対し統計を行い、且つUTが所在階層において使用するOI報告のトリガ閾値を設置する。
【００６２】
該ステップの実現方法がステップ105と同じ、ここでは贅言しない。
【００６３】
ただし、UTが占用したPRBにおけるOI値の階層及びOI値で表したPRBの受ける干渉状態はRSを通じてBSによって設置され、具体的な方法は以下のことを含み、BSはRSが占用したPRBにおけるOI値の階層、及びOI値で表したPRBの受ける干渉状態を確定し、且つアップリンク許可によってRSに送信し、RSはさらにBSが送信した情報によってUTの占用したPRBにおけるOI値階層及びOI値で表したPRBの受ける干渉状態を設置し、ステップ105の方法によって、好ましくは、RSもUTの占用したPRBにおけるOI値を3つのレベルに分けることができ、2つのbitで表し、OI値の3つのレベルがそれぞれOO、01、10に表することができ、PRBの受ける干渉状態を高干渉、中干渉、低干渉に分けられ、OI値とPRBの受ける干渉状態との対応関係は、OOが高干渉(H)に対応し、01が中干渉 (M) に対応し、10が低干渉(L)に対応することであってもよい。
【００６４】
なお、UTに対して統計が必要なPRBの受ける干渉状態レベルを確定する時も、BSでRSによって制御し、BSは、まずRS使用するOI報告をトリガする時の、統計が必要なPRBの受ける干渉状態レベルを確認し、且つアップリンク許可によってRSに送信し、RSは該統計が必要なPRBの受ける干渉状態レベルを、UT使用するOI報告をトリガ時の統計が必要なPRBの受ける干渉状態レベルとし、ステップ105の方法によって、RSが使用するOI報告をトリガする時、BSの確認した統計が必要なPRBの受ける干渉レベルが「H」である場合、UTの使用するOI報告をトリガ時、RSはUTの占用した受ける干渉状態レベルが「H」であるPRBを統計する。
【００６５】
ステップ306〜307：RSはPRBの統計結果が、UTが所在階層において使用するOI報告のトリガ閾値より大きいかどうかを判断し、大きいであると、ステップ307を実行し、OI報告をトリガし、さもないと、該プロセスが終わる。
【００６６】
PRBの統計結果が、UTが所在階層において使用するOI報告のトリガ閾値を超えると、RSはUTが所在階層において使用するOI報告をトリガする。
【００６７】
該プロセスにおいて、RSはBSの送信した情報によってUTの使用するOI報告のトリガ条件を確定し、該プロセスにおいて、RSがBSの特性を有することがわかる。
【００６８】
また、本発明の無線通信ネットワークにおいて、BS或いはRSカバーエリアの階層構成は、OI報告がトリガされた後の応用において、以下のような重要な役割を果たし、
1、階層構成における過渡層の受けられた干渉強度が外層より小さく、UTが該エリアに所在する時、パス損失補償因子を適当に調整することによって目標発信パワーに達成することができ、発信パワーを向上することによってもたらした、セルにおける他のUT及び隣接セルへの干渉を低下し、同時にUTがパス損失補償を行う柔軟性を向上し、セル辺縁UTのスループットと平均UTスループットを有効的に増加する。
【００６９】
2、内層、過渡層、外層に時間周波数資源を分配する時、即ちPRBの時、各層のPRBを直交に保持させ、内層或いは外層がロード過重或いは満載によってもたらした、占用したPRBが過多する時、過渡層のPRBが有效的な補充になることができ、同時に、補充された内層と外層の時間周波数資源の直交性を保証する。各階層における時間周波数資源の直交性は、BSが周波数領域においてUTをスケジューリングする時使用されるPRBを隣接せるにおけるUTに使用されないようにさせ、同時に、異なる階層のアップリンク発信パワーを制御でき、それによってセル間の干渉の協調を行い、且つ帯域幅損失がない前提でセル辺縁UTのスループット及び平均UTスループットを向上する。
【００７０】
OI報告のトリガ方法を達成するため、本発明はさらにOI報告をトリガするトリガシステムを提出し、図4に示すように、該システムは第1の端末10と第2の端末20を備え、その中、
第1の端末10は、自身のカバーエリアに対してエリア区分を行って自身カバーエリアの各階層を得て、且つ第2の端末20が所在する第1の端末10のカバーエリアの階層を確認することに用いられ、さらに第2の端末20が占用したPRBを統計し、且つ第2の端末20が所在階層において使用するOI報告のトリガ閾値を設置することに用いられ、さらにPRBの統計結果とOI報告のトリガ閾値とを比較し、前記PRBの統計結果が前記OI報告のトリガ閾値より大きい時、第2の端末20が使用するOI報告をトリガすることに用いられ、
第2の端末20は、第1の端末10に第2の端末20が現在受けられたセル間の最大干渉強度及び第2の端末20が占用したPRB受ける干渉状態情報を報告することに用いられる。
【００７１】
以上は、本発明の好ましい実施例だけであり、本発明の保護範囲を限定することに用いられるものではない。
【産業上の利用可能性】
【００７２】
本発明にかかわるOI報告トリガ方法は、無線通信ネットワークにおけるBS或いはRSカバーエリアを区分することによって、且つこの新しいネットワーク構成に基づいてOI報告のトリガに制限条件を増加し、例えば、RS或いはUTの所在する階層を確定すること、RS或いはUTが現在階層におけるOI報告のトリガ閾値を確定すること、統計が必要なPRBの受ける干渉状態レベルを確定すること、及び現在階層におけるOI報告のトリガ閾値とPRBの統計結果との大きさを比較することなどにより、有效的にOI報告のトリガ送信回数を低下させ、OIのロードを減少させ、さらにシステムオーバヘッドを低下させる。
【図１】
0005209803.tif 000003
【図２】
0005209803.tif 000004
【図３】
0005209803.tif 000005
【図４】
0005209803.tif 000006